(57)【要約】      （修正有）【課題】変形敷地において日照、採光、通風などの要素を取り入れながら創造的に構築可能であり、また自然環境、風景に優れている景勝の場所において、自然現象をも一体的な居住空間として創造的に構築可能であり、さらに安心で安全な居場所の確保を前提として、時代の移ろいや人の成長に伴い、刻々と変化している生活スタイルに対し柔軟に対応可能な居住空間構造を提供する。【解決手段】規格化された居住空間の概念を一端分解し再構築を行うものとし、台所設備一式を含む空間、浴室設備一式を含む空間、住まい手が必要とする空間として、一般的な住空間に「常設されている現代人の生活に必要不可欠な機能空間」を３種類のブロックに分割し、さらに、各ブロックを１層及び上下２層に分類して合計６つのブロックを用意し、ブリッジ、ウォール、ルーフからなる３種類のオプション補助機能とを任意に組み合わせることにより居住空間構造を構成する。【選択図】図１
2012047025.tif 000002
【特許請求の範囲】
【請求項１】
便所と台所と間仕切壁を有しない空間とからなる第１ブロックと、便所と浴室と前記空間とからなる第２ブロックと、便所と前記空間とからなる第３ブロックと、を任意に組み合わせることを特徴とする居住空間構造。
【請求項２】
前記第２ブロックは、該ブロックの外壁と前記浴室の間に室内庭を有することを特徴とする請求項１に記載の居住空間構造。
【請求項３】
前記ブロックの平面の縦横最大寸法が、該ブロックが１層構造の場合は同じであり、該ブロックが上下２層構造の場合は、横最大寸法が１層構造の場合と同じで、縦最大寸法が該横最大寸法の略２分の１であることを特徴とする請求項１又は２に記載の居住空間構造。
【請求項４】
前記第１ブロックは壁面に比較的大きな開口部を有し、前記第２ブロックは前記浴室に隣接する壁面に比較的小さな開口部と他の壁面に比較的大きな開口部を有し、前記第３ブロックは壁面に比較的小さな開口部を有することを特徴とする請求項１〜３いずれかに記載の居住空間構造。
【請求項５】
前記ブロック間を廊下且つ／又は玄関の機能を有するブリッジで連結することを特徴とする請求項１〜４いずれかに記載の居住空間構造。
【請求項６】
前記ブリッジは前記ブロックの構造上主要な部材、例えば、隅柱を有しない壁面と接続されることを特徴とする請求項５に記載の居住空間構造。
【請求項７】
前記ブロックは外部の水平空間と隔てる機能を有するウォールと併設されることを特徴とする請求項１〜６いずれかに記載の居住空間構造。
【請求項８】
前記ブロックは外部の上空間と隔てる機能を有するルーフと併設されることを特徴とする請求項１〜７いずれかに記載の居住空間構造。
【発明の詳細な説明】
【技術分野】
【０００１】  本発明は、時代の移ろいや人の成長と共に多様化する生活スタイルに対応可能な居住空間構造に関するものである。
【背景技術】
【０００２】  現在での一般的な居住空間とは、そこで働く人や住む人の快適な生活を外部要因から保護する空間を指す事が多い。ここで述べる外部要因とは、雨、風、雪、湿気などの自然現象や、騒音、異臭、近隣からの視線などの人為的なものまで様々である。【０００３】  しかしながら、快適な居住空間には、外部要因に対する保護的な役割だけではなく、時にはプライバシーを侵害される可能性をも持ち合わせながら、例えば、特許文献１のように、日照、採光、通風などの要素を取り入れ、さらに慎重な建築計画を加えることにより、四季、星空、雨音、風景などの人の感覚に直接関わる背景と共に、自然現象をも一体的な居住空間として構成させ居住性を高めたりもする。この代表的なものに、日本古来の家屋に見られる濡れ縁、縁側などの「縁」空間がある。【０００４】  一方で、居住空間に改良を施しながら、日本では戦後復興という時代背景とともに、工業化住宅が重要な役割を担う事となる。それは、戸建住宅、集合住宅などの居住空間そのものを規格化することで、工期短縮、工事費のコストダウンなどを可能とし、その結果、居住空間の大量生産化に拍車がかかり、社会で元気に生活する多くの人たちの手助けとなってきた。【０００５】  さらに、大量生産を前提として規格化された一般的な居住空間は、建築基準法の下、生産ラインに合理化が図られることとなり、若干の間取り変更を可能とした居住空間と生活を支える電気、上下水道に伴うインフラ設備を設置した「ひとつの建築物」として完結する事が多くなった。ここで述べる「ひとつの建築物」とは、例えば、浴室、便所に行くのに、一旦、外に出るなどの離れ的な選択肢が初期段階では無く、すべての居住空間機能がひとつ屋根の下にまとまっている様子を示す。【０００６】  このため、従来型の規格化された「ひとつの建築物」として完結している居住空間では、多角形の土地、袋小路の土地、勾配がある土地などの変形敷地において、場合によっては建築することが困難となっている。これに対し、例えば、特許文献２又は３のような集合住宅の場合、各ブロックの組み合わせによっては、建築物の形態を敷地にあわせて変形し、かつ良好な環境に配慮した空間を構築できる可能性を持ち合わせてはいるが、特許文献２においてはＸ型架構という特質上、建物全体が一定の方向性を持ち合わせており、変形敷地に対しては不十分な対応となってしまい、特許文献３においては各住戸が「ひとつの建築物」として完結してしまっており変形敷地において、場合によっては建築することが困難となってしまう。【０００７】  同時に、建築しようとする対象が、丘の上、避暑地の林の中、海辺などの自然環境、風景に優れている景勝の場所において、その場所性（場所の力）を大いに引き出す居住空間造りも、場合によっては困難となっている。そこで、従来とは異なる空間の構築が試みられ、例えば、特許文献４のような浴室が提供されているが、対象が入浴時間に限られるものであり、居住空間全体としては不十分な対応となってしまっている。【０００８】  さらに、時代の移ろいや人の成長により、そこで働く人、住む人の生活スタイルにも変化が見られ、それに伴い必要な居住空間機能もまた変化していく事となるが、従来型の���格化された「ひとつの建築物」として完結している居住空間では、建築物のボリューム（例えば、３ＬＤＫや４ＬＤＫなど）さえ標準の規格があり、柔軟な対応をとる事が極めて困難となっている。例えば、特許文献５に見られるように、離れの増築方法を計画的に行う居住空間が提供されているが、庭を介するという条件のもと母屋の形態と離れの配置関係には一定の規則が生じ、多様化した生活スタイルへの対応は不十分となってしまう。【０００９】  これらは、時に規格化された居住空間に、住まい手が生活スタイルを合わせざる負えなくなる場合が生じ、核家族の増加や近隣との対話の欠落など、現在の社会情勢にも大きく起因する現象をも生み出す要因のひとつとなっていることを示している。このため、例えば、特許文献６で提案されているような空間構成により解決の試みが見られるが、対象となる特定の建築物のみで完結してしまっており、街や近隣空間までは配慮される事はない。
【先行技術文献】
【特許文献】
【００１０】
【特許文献１】  特開２００９−１５５８３７号公報
【特許文献２】  特許第２７４７７９４号公報
【特許文献３】  特許第４２４６７５６号公報
【特許文献４】  特許第３０９６７０７号公報
【特許文献５】  特開２００２−１７４０３７号公報
【特許文献６】  特許第４２５５３２９号公報
【発明の概要】
【発明が解決しようとする課題】
【００１１】  上述した従来技術の問題点に鑑み、本発明は、第１の課題として、従来型の規格化された居住空間では建築が場合により困難であった、多角形の土地、袋小路の土地、勾配がある土地などの変形敷地においてでも、日照、採光、通風などの要素を取り入れながら、創造的に構築可能な居住空間構造を提供することを目的としている。【００１２】  また、第２の課題として、丘の上、避暑地の林の中、海辺などの自然環境、風景に優れている景勝の場所において、四季、星空、雨音、風景などの人の感覚に直接関わる背景と共に、自然現象をも一体的な居住空間として創造的に構築可能な居住空間構造を提供することを目的としている。【００１３】  さらに、第３の課題として、居住空間本来の命題である安心で安全な居場所の確保を前提として、時代の移ろいや人の成長に伴い、２世帯又は３世帯住宅にしたい、介護が必要だ、家で仕事やサークル活動をしたい、書斎や趣味の部屋がほしいなどの刻々と変化している生活スタイルに対し柔軟に対応可能な居住空間構造を提供することを目的としている。
【課題を解決するための手段】
【００１４】  背景技術でも述べたように、時代の移ろいと共に、街に住まう人の生活スタイルも刻々と変化し続けている。そこで本居住空間構造では、従来型の規格化された居住空間の概念を一端分解し再構築を行うものとする。【００１５】  近年の成熟した日本の街には、人が生活するために必要な機能空間が充実しているため街に住む人は場合により、ホテル暮らしであったり、食事は全て外食としたり、また近くに銭湯や温泉があるので、浴室設備一式を含む空間を不要とするなど、生活するための一部の機能を街に委ねることもある。一方で大家族などの戸建住宅の場合、台所設備一式を含む空間や住まい手が必要とする空間を一般的な住空間より多く必要とする場合がある。また交遊関係が広い人などの戸建住宅の場合、宿泊できるゲストルームを必要とする場合などもある。【００１６】  そこでまず、一般的な「ひとつの建築物」の住空間に「常設されている現代人の生活に必要不可欠な機能空間」を軸に機能空間を３種類のブロックに分割する。ここで述べる「常設されている現代人の生活に必要不可欠な機能空間」とは、台所設備一式を含む空間、浴室設備一式を含む空間、住まい手が必要とする空間（例えば、個室、寝室、書斎、大きな収納場所など）の３種類である。次に住空間を構築する過程において、さらに３種類の各ブロックを１層及び上下２層に分類して合計６つのブロックを用意し、この中から任意に必要な機能空間を何種類でも何個でも選択することが可能な構造とし、従来型の規格化された居住空間の概念からは逸脱した住空間の構築を可能なものとする。【００１７】  前記課題を解決するために、本発明の第１手段である居住空間構造は、便所と台所と間仕切り壁を有しない空間とからなる第１ブロックと、便所と浴室と前記空間とからなる第２ブロックと、便所と前記空間とからなる第３ブロックと、を任意に組み合わせることを特徴とする。【００１８】  また、第２手段は、第１手段に記載の居住空間構造であって、前記第２ブロックは、該ブロックの外壁と前記浴室の間に室内庭を有することを特徴とする。【００１９】  また、第３手段は、第１又は第２手段に記載の居住空間構造であって、前記ブロックの平面の縦横最大寸法が、該ブロックが１層構造の場合は同じであり、該ブロックが上下２層構造の場合は、横最大寸法が１層構造の場合と同じで、縦最大寸法が該横最大寸法の略２分の１であることを特徴とする。【００２０】  また、第４手段は、第１〜第３いずれかの手段に記載の居住空間構造であって、前記第１ブロックは壁面に比較的大きな開口部を有し、前記第２ブロックは前記浴室に隣接する壁面に比較的小さな開口部と他の壁面に比較的大きな開口部を有し、前記第３ブロックは壁面に比較的小さな開口部を有することを特徴とする。【００２１】  また、第５手段は、第１〜第４いずれかの手段に記載の居住空間構造であって、前記ブロック間を廊下且つ／又は玄関の機能を有するブリッジで連結することを特徴とする。【００２２】  また、第６手段は、第５手段に記載の居住空間構造であって、前記ブリッジは前記ブロックの構造上主要な部材、例えば、隅柱を有しない壁面と接続されることを特徴とする。【００２３】  また、第７手段は、第１〜第���いずれかの手段に記載の居住空間構造であって、前記ブロックは外部の水平空間と隔てる機能を有するウォールと併設されることを特徴とする。【００２４】  また、第８手段は、第１〜第７いずれかの手段に記載の居住空間構造であって、前記ブロックは外部の上空間と隔てる機能を有するルーフと併設されることを特徴とする。
【発明の効果】
【００２５】  従来型の規格化された居住空間は、まず対象の敷地の何処に建築物を建てるかを検討し、その後詳細にその「ひとつの建築物」の間取りを検討して戸建住宅を完成させていく手法である。しかし、本居住空間構造では、従来型の「ひとつの建築物」の配置検討に対し、複数の性格、定義付けされた各ブロックの配置検討となり、居間、食卓、台所、浴室などの内部機能同士の関係性や眺め、日照、採光、通風などの外部空間との関係性などの検討を配置計画で同時に行うことが可能となる。【００２６】  また、各ブロックを独立して対象の敷地に配置することが出来るため、各々の造形における関係性に規則は生じず、各ブロック同士を平行に配置することも、角度をつけて配置することも可能となり、間取りという概念から逸脱した居住空間の構築をも可能となる。このため変形敷地では、日照、採光、通風を考慮に入れながら配置が可能となり、自然環境、風景に優れている景勝の場所では、人の感覚に直接関わる背景と共に、自然現象をも一体的な居住空間として構築することも可能となる。また、各ブロック単体でも機能が成立するため、住宅街などの込み入った敷地条件などにおいても、簡易的にブロックを増減させて生活スタイルに柔軟に対応させることも可能である。【００２７】  さらに、従来型では外部空間の扱いは主に庭になることが多く、ウッドデッキやテラスにより内部空間と連続した外部空間を構成させることもあるが、あくまで「ひとつの建築物」に付属する形態上の対処の仕方であり、風土に適した日本古来の内外曖昧な空間としての「縁」のような空間造りが失われている場合が多い。これに対し本居住空間構造は各ブロックを配置する初期計画段階から外部空間との関係性を創造しながら進めるため、古来の「縁」にも似た内外曖昧な空間造りが可能である。
【図面の簡単な説明】
【００２８】
【図１】  （ａ）１階平面計画例、（ｂ）２階平面計画例とする本発明の代表的な実施例である。
【図２】  ブロックＩ−１及びＩ−２の説明図である。
【図３】  ブロックＩＩ−１及びＩＩ−２の説明図である。
【図４】  ブロックＩＩＩ−１及びＩＩＩ−２の説明図である。
【図５】  図２〜４の補足説明である。
【図６】  オプション補助機能ブリッジの説明図である。
【図７】  オプション補助機能ウォールの説明図である。
【図８】  オプション補助機能ルーフの説明図である。
【図９】  ブロックＩ−１及びＩ−２の特徴をまとめた図である。
【図１０】  ブロックＩＩ−１及びＩＩ−２の特徴をまとめた図である。
【図１１】  ブロックＩＩＩ−１及びＩＩＩ−２の特徴をまとめた図である。
【図１２】  課題１の解決方法の説明図である。
【図１３】  課題２の解決方法の説明図である。
【図１４】  課題３の解決方法の説明図である。
【図１５】  実施例１の説明図である。
【図１６】  実施例２の説明図である。
【図１７】  実施例３の説明図である。
【図１８】  実施例４の説明図である。
【図１９】  実施例５の説明図である。
【図２０】  実施例６の説明図である。
【図２１】  実施例７の説明図である。
【図２２】  実施例８の説明図である。
【発明を実施するための形態】
【００２９】  以下、本発明の詳細について図を用いて説明する。図１は本発明の代表的な構成である。本発明は、居住空間を構成する部品である図２〜４に示す６つのブロックから構成され、各ブロックを様々な方法で幾つでも自由に組合せる事により居住空間構造を完成するものとした。なお、図５に図２〜４の補足説明をまとめた。
【００３０】  さらに、対象の敷地内で、各ブロックの自由配置による創造的な空間を構築可能とし、場合により空間の質を向上させるため図６〜８に示すブリッジ、ウォール、ルーフからなる３種類のオプション補助機能を用いる。このオプション補助機能は基本的に「クライアント」を「クリエーター」が補助をし、構造上重要な要素となる。
【００３１】  次に、多様化する生活スタイルに必要な空間にすることを念頭に、空間それ自体のイノベーションを目指すため、本居住空間構造に表１に記すように５つの規則を設定する。
【００３２】
【表１】
2012047025.tif 000003
【００３３】  以下、様々な空間構成例を挙げる。
【実施例１】
【００３４】  図１５は、ブロックＩ−１＋ウォール＋ルーフで構成した実施例である。用途としては、事務所、店舗、サークル活動の場、塾の教室などに対応可能である。
【実施例２】
【００３５】  図１６は、ブロックＩ−１−ブロックＩＩ−１＋ブリッジ＋ルーフで構成した実施例である。用途としては、各々７帖程度の居間、食卓、１個室、浴室空間が設置された戸建住宅である。
【実施例３】
【００３６】  図１７は、ブロックＩ−２＋ブロックＩＩ−２＋ブロックＩＩＩ−２＋ウォール＋ブリッジで構成した実施例である。用途としては、各々７帖程度の居間、食卓、１個室と２つの子供部屋、浴室空間が設置された戸建住宅である。
【実施例４】
【００３７】  図１８は、ブロックＩ−１＋ブロックＩＩ−１（ゲストルーム）＋ブロックＩＩ−２＋ブロックＩＩＩ−２＋ウォール＋ブリッジで構成した実施例である。用途としては、各々７帖程度の居間、食卓、１個室と２つの子供部屋、浴室空間で構成される戸建住宅に浴室付ゲストルームを設置した。
【実施例５】
【００３８】  図１９は、ブロックＩ−１＋ブロックＩＩ−２を１つとした２組の居住空間をウォールとブリッジで構成した実施例である。用途としては、各々７帖程度の居間、食卓、１個室、浴室空間が設置された２世帯住宅である。
【実施例６】
【００３９】  図２０は、ブロックＩ−１＋ブロックＩＩ−１＋ブロックＩ−２＋ブロックＩＩ−２＋ブロックＩＩＩ−２＋ブリッジで構成した実施例である。用途としては、各々７帖程度の居間、食卓、１個室、浴室空間に加え、子世帯に２つの子供部屋が設置された２世帯住宅である。
【実施例７】
【００４０】  図２１は、ブロックＩ−１＋ブロックＩＩ−２＋ブリッジ＋ウォールを１組とし、複数組並べて構成した実施例である。用途としては、集合住宅である。
【実施例８】
【００４１】  図２２は、ブロックＩ−１＋ブロックＩＩＩ−１＋ブリッジを１組とし、複数組並べて構成した実施例である。用途としては、テナント施設である。
【符号の説明】
【００４２】    １  ブリッジ接続部
２  具体的風景が背景となる開口
３  抽象的印象の開口
４  台所
５  収納棚
６  空間
７  階段
８  便所
９  吹抜
１０  室内庭
１１  洗面・脱衣・洗濯室
１２  浴室
【図１】
2012047025.tif 000004
【図２】
2012047025.tif 000005
【図３】
2012047025.tif 000006
【図４】
2012047025.tif 000007
【図５】
2012047025.tif 000008
【図６】
2012047025.tif 000009
【図７】
2012047025.tif 000010
【図８】
2012047025.tif 000011
【図９】
2012047025.tif 000012
【図１０】
2012047025.tif 000013
【図１１】
2012047025.tif 000014
【図１２】
2012047025.tif 000015
【図１３】
2012047025.tif 000016
【図１４】
2012047025.tif 000017
【図１５】
2012047025.tif 000018
【図１６】
2012047025.tif 000019
【図１７】
2012047025.tif 000020
【図１８】
2012047025.tif 000021
【図１９】
2012047025.tif 000022
【図２０】
2012047025.tif 000023
【図２１】
2012047025.tif 000024
【図２２】
2012047025.tif 000025